(57)【要約】【課題】製造中に、原紙に折れや破損等の不具合が生じることを防止可能な衛生用紙の製造方法を提供する。【解決手段】複数枚の原紙が積層された長尺幅広プライに、原紙を相互に接着するプライボンディング部１０を複数形成して中間体シート４１を得る工程、中間体シートを、その長手方向に巻き取って中間体ロールを得る工程、及び中間体ロールを、隣接するプライボンディング部の間で切断して、ロール状の衛生用紙を複数得る工程を備え、上記プライボンディング部１０は、長尺幅広プライ１１の長手方向に沿って千鳥状に配置される複数の第一の接着領域３１を有する第一のボンディング部２１と、長尺幅広プライ１１の長手方向に沿って千鳥状に配置される複数の第二の接着領域３２を有し、第一のボンディング部２１から所定の間隔で離間させた第二のボンディング部２２と、を含む衛生用紙の製造方法。【選択図】図３
2010178839.tif 000002
【特許請求の範囲】
【請求項１】
複数枚の原紙が積層された長尺幅広プライに、複数枚の前記原紙を相互に接着するプライボンディング部を、前記長尺幅広プライの短手方向に複数形成して中間体シートを得る第一のシート形成工程と、
前記中間体シートを、その長手方向に巻き取って中間体ロールを得る第一のロール形成工程と、
前記中間体ロールを、隣接する前記プライボンディング部の間で切断して、ロール状の衛生用紙を複数得る第一の切断工程と、を備え、
前記プライボンディング部が、前記長尺幅広プライの長手方向に沿って千鳥状に配置される複数の第一の接着領域を有する第一のボンディング部と、前記長尺幅広プライの長手方向に沿って千鳥状に配置される複数の第二の接着領域を有し、前記第一のボンディング部から前記長尺幅広プライの短手方向に所定の間隔で離間させた第二のボンディング部と、を含む衛生用紙の製造方法。
【請求項２】
隣接する前記プライボンディング部における、隣接する前記第一のボンディング部と前記第二のボンディング部を、前記第一の接着領域と前記第二の接着領域とが千鳥状をなすように配置する請求項１に記載の衛生用紙の製造方法。
【請求項３】
複数枚の原紙が積層された長尺幅広プライに、複数枚の前記原紙を相互に接着するプライボンディング部を、前記長尺幅広プライの短手方向に複数形成して中間体シートを得る第二のシート形成工程と、
前記中間体シートを、その長手方向に巻き取って中間体ロールを得る第二のロール形成工程と、
前記中間体ロールを、隣接する前記プライボンディング部の間で切断して、ロール状の衛生用紙を複数得る第二の切断工程と、を備え、
前記プライボンディング部が、前記長尺幅広プライの長手方向に沿って形成された複数の第三の接着領域を有する第三のボンディング部と、前記長尺幅広プライの長手方向に沿って形成された複数の第四の接着領域を有し、前記第三のボンディング部から前記長尺幅広プライの短手方向に所定の間隔で離間させた第四のボンディング部と、を含み、
前記第三のボンディング部と前記第四のボンディング部を、前記第三の接着領域と前記第四の接着領域とが千鳥状をなすように配置する衛生用紙の製造方法。
【請求項４】
前記第四の接着領域を、隣接する前記第三の接着領域の間の非接着領域に対応する位置に配置する請求項３に記載の衛生用紙の製造方法。
【請求項５】
複数枚の原紙が積層された長尺幅広プライに、複数枚の前記原紙を相互に接着するプライボンディング部を、前記長尺幅広プライの短手方向に複数形成して中間体シートを得る第三のシート形成工程と、
前記中間体シートを、隣接する前記プライボンディング部の間で切断して複数の長尺衛生用紙を得る第三の切断工程と、
前記長尺衛生用紙を、その短手方向の所定の間隔で切断して複数枚の衛生用紙を得る第四の切断工程と、を備え、
前記プライボンディング部が、前記長尺幅広プライの長手方向に沿って千鳥状に配置される複数の第五の接着領域を有する第五のボンディング部と、前記長尺幅広プライの長手方向に沿って千鳥状に配置される複数の第六の接着領域を有し、前記第五のボンディング部から前記長尺幅広プライの短手方向に所定の間隔で離間させた第六のボンディング部と、を含む衛生用紙の製造方法。
【請求項６】
隣接する前記プライボンディング部における、隣接する前記第五のボンディング部と前記第六のボンディング部を、前記第五の接着領域と前記第六の接着領域とが千鳥状をなすように配置する請求項５に記載の衛生用紙の製造方法。
【請求項７】
複数枚の原紙が積層された長尺幅広プライに、複数枚の前記原紙を相互に接着するプライボンディング部を、前記長尺幅広プライの短手方向に複数形成して中間体シートを得る第四のシート形成工程と、
前記中間体シートを、隣接する前記プライボンディング部の間で切断して複数の長尺衛生用紙を得る第五の切断工程と、
前記長尺衛生用紙を、その短手方向の所定の間隔で切断して複数枚の衛生用紙を得る第六の切断工程と、を備え、
前記プライボンディング部が、前記長尺幅広プライの長手方向に沿って形成された複数の第七の接着領域を有する第七のボンディング部と、前記長尺幅広プライの長手方向に沿って形成された複数の第八の接着領域を有し、前記第七のボンディング部から前記長尺幅広プライの短手方向に所定の間隔で離間させた第八のボンディング部と、を含み、
前記第七のボンディング部と前記第八のボンディング部を、前記第七の接着領域と前記第八の接着領域とが千鳥状をなすように配置する衛生用紙の製造方法。
【請求項８】
前記第八の接着領域を、隣接する前記第七の接着領域の間の非接着領域に対応する位置に配置する請求項７に記載の衛生用紙の製造方法。
【発明の詳細な説明】
【技術分野】
【０００１】
本発明は、衛生用紙の製造方法に関し、更に詳しくは、製造中に、原紙に折れや破損等の不具合が生じることを防止することができる衛生用紙の製造方法に関する。
【背景技術】
【０００２】
ティシュペーパー、トイレットペーパー、キッチンタオル等の衛生用紙は、２枚以上原紙を積層させたプライによって構成されている。そして、このプライは、その両端部に、積層させた原紙同士の剥離（いわゆる、プライ剥がれ）を防止するためのプライボンディング処理（原紙同士を接着する処理）が施されている。
【０００３】
このような衛生用紙は、その製造に際して、以下のようなプライボンディング処理を行うことが知られている（例えば、特許文献１〜３参照）。即ち、まず、複数枚の原紙が積層された長尺幅広プライを用意し、次に、この長尺幅広プライに、その長手方向に沿ってプライボンディング部を複数形成して（プライボンディング処理を行い）、上記原紙を相互に接着して中間体シートを得る。そして、例えば、ティシュペーパーを製造する場合、上記中間体シートを、隣接するプライボンディング部の間で切断して長尺プライを得、得られた長尺プライを、その短手方向の所定の間隔で切断することによって、所望の衛生用紙を製造することができる。
【先行技術文献】
【特許文献】
【０００４】
【特許文献１】特開２００３−１８０５５０号公報
【特許文献２】特開２００６−２７１４５８号公報
【特許文献３】特開２００７−１４３６５９号公報
【発明の概要】
【発明が解決しようとする課題】
【０００５】
しかしながら、特許文献１〜３に記載の衛生用紙の製造方法では、プライを構成する原紙間に空気が入ることや、原紙間に空気が残ってしまうことなどに起因して、原紙が、ダブついた状態のままでプライボンディングされてしまうことがあった。そのため、得られるティシュやトイレットペーパーなどの衛生用紙に、折れや破れ（破損）などの不具合が発生し易いという問題があった。
【０００６】
本発明は、このような従来技術の有する問題点に鑑みてなされたものであり、プライを構成する原紙間の空気が抜け易く、従来のように原紙間に存在する空気によって原紙がダブついたままでプライボンディングされ難いため、これらに起因する不具合、即ち、衛生用紙の製造中に、原紙に折れや破損等の不具合が生じることを防止することができる衛生用紙の製造方法を提供するものである。
【課題を解決するための手段】
【０００７】
本発明によれば、以下に示す衛生用紙の製造方法が提供される。
【０００８】
［１］複数枚の原紙が積層された長尺幅広プライに、複数枚の前記原紙を相互に接着するプライボンディング部を、前記長尺幅広プライの短手方向に複数形成して中間体シートを得る第一のシート形成工程と、前記中間体シートを、その長手方向に巻き取って中間体ロールを得る第一のロール形成工程と、前記中間体ロールを、隣接する前記プライボンディング部の間で切断して、ロール状の衛生用紙を複数得る第一の切断工程と、を備え、前記プライボンディング部が、前記長尺幅広プライの長手方向に沿って千鳥状に配置される複数の第一の接着領域を有する第一のボンディング部と、前記長尺幅広プライの長手方向に沿って千鳥状に配置される複数の第二の接着領域を有し、前記第一のボンディング部から前記長尺幅広プライの短手方向に所定の間隔で離間させた第二のボンディング部と、を含む衛生用紙の製造方法（以下、「第一の衛生用紙の製造方法」と記す場合がある）。
【０００９】
［２］隣接する前記プライボンディング部における、隣接する前記第一のボンディング部と前記第二のボンディング部を、前記第一の接着領域と前記第二の接着領域とが千鳥状をなすように配置する前記［１］に記載の衛生用紙の製造方法。
【００１０】
［３］複数枚の原紙が積層された長尺幅広プライに、複数枚の前記原紙を相互に接着するプライボンディング部を、前記長尺幅広プライの短手方向に複数形成して中間体シートを得る第二のシート形成工程と、前記中間体シートを、その長手方向に巻き取って中間体ロールを得る第二のロール形成工程と、前記中間体ロールを、隣接する前記プライボンディング部の間で切断して、ロール状の衛生用紙を複数得る第二の切断工程と、を備え、前記プライボンディング部が、前記長尺幅広プライの長手方向に沿って形成された複数の第三の接着領域を有する第三のボンディング部と、前記長尺幅広プライの長手方向に沿って形成された複数の第四の接着領域を有し、前記第三のボンディング部から前記長尺幅広プライの短手方向に所定の間隔で離間させた第四のボンディング部と、を含み、前記第三のボンディング部と前記第四のボンディング部を、前記第三の接着領域と前記第四の接着領域とが千鳥状をなすように配置する衛生用紙の製造方法（以下、「第二の衛生用紙の製造方法」と記す場合がある）。
【００１１】
［４］前記第四の接着領域を、隣接する前記第三の接着領域の間の非接着領域に対応する位置に配置する前記［３］に記載の衛生用紙の製造方法。
【００１２】
［５］複数枚の原紙が積層された長尺幅広プライに、複数枚の前記原紙を相互に接着するプライボンディング部を、前記長尺幅広プライの短手方向に複数形成して中間体シートを得る第三のシート形成工程と、前記中間体シートを、隣接する前記プライボンディング部の間で切断して複数の長尺衛生用紙を得る第三の切断工程と、前記長尺衛生用紙を、その短手方向の所定の間隔で切断して複数枚の衛生用紙を得る第四の切断工程と、を備え、前記プライボンディング部が、前記長尺幅広プライの長手方向に沿って千鳥状に配置される複数の第五の接着領域を有する第五のボンディング部と、前記長尺幅広プライの長手方向に沿って千鳥状に配置される複数の第六の接着領域を有し、前記第五のボンディング部から前記長尺幅広プライの短手方向に所定の間隔で離間させた第六のボンディング部と、を含む衛生用紙の製造方法（以下、「第三の衛生用紙の製造方法」と記す場合がある）。
【００１３】
［６］隣接する前記プライボンディング部における、隣接する前記第五のボンディング部と前記第六のボンディング部を、前記第五の接着領域と前記第六の接着領域とが千鳥状をなすように配置する前記［５］に記載の衛生用紙の製造方法。
【００１４】
［７］複数枚の原紙が積層された長尺幅広プライに、複数枚の前記原紙を相互に接着するプライボンディング部を、前記長尺幅広プライの短手方向に複数形成して中間体シートを得る第四のシート形成工程と、前記中間体シートを、隣接する前記プライボンディング部の間で切断して複数の長尺衛生用紙を得る第五の切断工程と、前記長尺衛生用紙を、その短手方向の所定の間隔で切断して複数枚の衛生用紙を得る第六の切断工程と、を備え、前記プライボンディング部が、前記長尺幅広プライの長手方向に沿って形成された複数の第七の接着領域を有する第七のボンディング部と、前記長尺幅広プライの長手方向に沿って形成された複数の第八の接着領域を有し、前記第七のボンディング部から前記長尺幅広プライの短手方向に所定の間隔で離間させた第八のボンディング部と、を含み、前記第七のボンディング部と前記第八のボンディング部を、前記第七の接着領域と前記第八の接着領域とが千鳥状をなすように配置する衛生用紙の製造方法（以下、「第四の衛生用紙の製造方法」と記す場合がある）。
【００１５】
［８］前記第八の接着領域を、隣接する前記第七の接着領域の間の非接着領域に対応する位置に配置する前記［７］に記載の衛生用紙の製造方法。
【発明の効果】
【００１６】
本発明の衛生用紙の製造方法は、プライを構成する原紙が、ダブついたままでプライボンディングされ難いため、製造中に原紙の折れや破損等の不具合が生じることを防止することができるという効果を奏するものである。
【図面の簡単な説明】
【００１７】
【図１】第一の衛生用紙の製造方法の一の実施形態における第一のロール形成工程を説明する平面図である。
【図２】図１に示す第一のロール形成工程の一部を上方から見た状態を示す平面図である。
【図３】図１に示す第一のロール形成工程で得られた中間体シートを示す平面図である。
【図４】第二の衛生用紙の製造方法の一の実施形態における第二のロール形成工程で得られた中間体シートを示す平面図である。
【図５】第一の衛生用紙の製造方法の一の実施形態における第一のロール形成工程を説明する平面図である。
【図６】第一の衛生用紙の製造方法の一の実施形態における第一の切断工程を説明する平面図である。
【図７】第一の衛生用紙の製造方法の別の実施形態における第一のロール形成工程を説明する平面図である。
【図８】第三の衛生用紙の製造方法の一の実施形態における第三の切断工程を説明する平面図である。
【発明を実施するための形態】
【００１８】
以下、本発明を実施するための形態について説明するが、本発明は以下の実施の形態に限定されるものではない。即ち、本発明の趣旨を逸脱しない範囲で、当業者の通常の知識に基づいて、以下の実施の形態に対し適宜変更、改良等が加えられたものも本発明の範囲に属することが理解されるべきである。
【００１９】
［１］衛生用紙の製造方法：
第一の衛生用紙の製造方法の一の実施形態は、複数枚の原紙が積層された長尺幅広プライに、複数枚の原紙を相互に接着するプライボンディング部を、上記長尺幅広プライの短手方向に複数形成して中間体シートを得る第一のシート形成工程と、中間体シートを、その長手方向に巻き取って中間体ロールを得る第一のロール形成工程と、中間体ロールを、隣接するプライボンディング部の間で切断して、ロール状の衛生用紙を複数得る第一の切断工程と、を備える製造方法である。そして、図２、３に示すように、プライボンディング部１０は、長尺幅広プライ１１の長手方向（図１〜３のＸで示す方向）に沿って千鳥状に配置される複数の第一の接着領域３１を有する第一のボンディング部２１と、長尺幅広プライ１１の長手方向に沿って千鳥状に配置される複数の第二の接着領域３２を有し、第一のボンディング部２１から長尺幅広プライ１１の短手方向（図２、３のＹで示す方向）に所定の間隔で離間させた第二のボンディング部２２と、を含むものである。なお、図１〜図８中、共通の構成要素には同一の符号を付してある。
【００２０】
このような衛生用紙の製造方法によれば、長尺幅広プライを構成する原紙が、ダブついたままでプライボンディングされ難いため、製造中に原紙の折れや破損等の不具合が生じることを防止することができる。
【００２１】
本製造方法及び後述する第二の衛生用紙の製造方法によると、ロール状の衛生用紙を得ることができる。具体的には、トイレットペーパー、キッチンタオルなどを得ることができる。
【００２２】
［１−１］第一のシート形成工程：
第一の衛生用紙の製造方法は、まず、複数枚の原紙が積層された長尺幅広プライに、複数枚の原紙を相互に接着するプライボンディング部を、長尺幅広プライの短手方向に複数形成して中間体シートを得る第一のシート形成工程を行う。本工程によれば、上述した所定のプライボンディング部を形成して原紙を接着するため、原紙を積層させる際に、原紙間に抱きこまれた空気が、原紙間に残り難いため、原紙がダブついたりすることを防止することができる。
【００２３】
長尺幅広プライを構成する原紙は、例えば、トイレットペーパーを製造する場合には、１枚当たり、坪量８〜２０ｇ／ｍ２に抄紙されたものを用いることができる。
【００２４】
長尺幅広プライを形成する方法は、特に制限はないが、例えば、図１に示すように、長尺で幅広の原紙１２を巻き取って形成されている原紙ロール１３を２系統用意し、それぞれの原紙ロール１３から原紙１２を送り出し、送り出された原紙１２を積層させることによって長尺幅広プライ１１を形成することができる。
【００２５】
プライボンディング部は、長尺幅広プライの長手方向に沿って千鳥状に配置される複数の第一の接着領域を有する第一のボンディング部と、長尺幅広プライの長手方向に沿って千鳥状に配置される複数の第二の接着領域を有し、上記第一のボンディング部から長尺幅広プライの短手方向に所定の間隔で離間させた第二のボンディング部と、を含むものである。このように第一の接着領域及び第二の接着領域を千鳥状に配置すると、隣接する第一の接着領域（または隣接する第二の接着領域）の、長尺幅広プライの短手方向に間隔Ｌ１（図３参照）が形成され、長尺幅広プライの長手方向の間の非接着領域４３と相俟って、原紙間に存在する空気が抜け易くなるという利点がある。
【００２６】
図２は、プライボンディング部１０が形成された長尺幅広プライ１１（即ち、中間体シート４１）の短手方向の一方の端部４１ａの一部を示しており、図２に示すように、プライボンディング部１０は、第一のボンディング部２１と、この第一のボンディング部２１から長尺幅広プライ１１の短手方向に所定の間隔で離間させた第二のボンディング部２２と、を含んでおり、一のプライボンディング部１０の隣りには、別のプライボンディング部１０が形成されている。このように長尺幅広プライ１１には、その短手方向に複数のプライボンディング部１０が形成されている。
【００２７】
第一のボンディング部と第二のボンディング部の間隔は、衛生用紙の幅Ｗ１（図２参照）とほぼ同じであり、具体的には、幅Ｗ１より若干狭く設定されることが好ましい。このようにすると、衛生用紙の両端部に第一のボンディング部と第二のボンディング部が形成されるため、得られる衛生用紙は、積層させた原紙が相互に良好に接着されているものになる。
【００２８】
図３は、図２に示す中間体シート４１を拡大して示す平面図であり、図３に示すように、第一のボンディング部２１は、長尺幅広プライ１１の長手方向に沿って千鳥状に配置される直線状の複数の第一の接着領域３１を有し、第二のボンディング部２２は、長尺幅広プライ１１の長手方向に沿って千鳥状に配置される直線状の複数の第二の接着領域３２を有している。
【００２９】
第一の接着領域は、長尺幅広プライの長手方向の長さが、具体的には、２〜１０ｍｍであることが好ましく、３〜８ｍｍであることが更に好ましい。上記長さが２ｍｍ未満であると、原紙が十分に接着されなくなるおそれがある。一方、１０ｍｍ超であると、原紙間に存在する空気が抜け難くなるおそれがある。なお、第二の接着領域の長尺幅広プライの長手方向の長さは、上述した第一の接着領域の長尺幅広プライの長手方向の長さと同様の長さとすることができる。
【００３０】
第一の接着領域及び第二の接着領域の形状は、図３に示すような直線状に限定されず、例えば、円形、楕円形、菱形、波形などとすることができる。
【００３１】
ここで、第一の接着領域及び第二の接着領域は、千鳥状に配置される限りそのパターンは特に制限はないが、図３に示すように、隣接する第一の接着領域３１、３１（または第二の接着領域３２、３２）の間に非接着領域４３が形成されるように配置することが好ましい。このように非接着領域を形成すると、原紙間に存在する空気が効果的に抜けるという利点がある。上記非接着領域の幅、即ち、隣接する第一の接着領域の間隔は、具体的には、２〜１０ｍｍであることが好ましく、３〜８ｍｍであることが更に好ましい。上記間隔が２ｍｍ未満であると、原紙間に存在する空気が抜け難くなるおそれがある。一方、１０ｍｍ超であると、原紙が十分に接着されなくなるおそれがある。なお、隣接する第二の接着領域の間隔は、上述した隣接する第一の接着領域の間隔と同一間隔とすることができる。
【００３２】
また、隣接するプライボンディング部における、隣接する第一のボンディング部と第二のボンディング部を、第一の接着領域と第二の接着領域とが千鳥状をなすように配置することが好ましい。このような構成であると、原紙間に存在する空気が更に効果的に抜けるという利点がある。また、例えば、図２に示すような、外周面に、第一の接着領域３１を形成する凸部５１ａ１と第二の接着領域３２を形成する凸部５１ａ２を備える凸ロール５１（ボンディングロール５０）を回転させることによって、上記構成のプライボンディング部を形成する場合、隣り合う凸部５１ａ１の間に、凸部５１ａ２が配置されるため、凸部５１ａ１が長尺幅広プライ１１と接していないときであっても、凸部５１ａ２が長尺幅広プライ１１と接する。そのため、凸ロール５１全体としては、常に長尺幅広プライ１１と接することになり、加工安定性が向上するという利点がある。
【００３３】
図３は、一のプライボンディング部１０のうち、第一のボンディング部２１が、長尺幅広プライ１１の短手方向の一方の端部４１ａ側に位置し、第二のボンディング部２２が、長尺幅広プライ１１の短手方向の他方の端部側に位置しており、隣接するプライボンディング部１０、１０における、隣接する第一のボンディング部２１（図３中、「２１ｂ」と示す）と第二のボンディング部２２（図３中、「２２ａ」と示す）を、第一の接着領域３１と第二の接着領域３２とが千鳥状をなすように配置している例である。
【００３４】
プライボンディング部は、上記の条件を満たす限りその形成方法について特に制限されないが、例えば、図１に示すように、その長手方向に沿って送り出された長尺幅広プライ１１を、所定の凸部５１ａ１，５１ａ２（図２参照）が形成された凸ロール５１と、この凸ロール５１に対応する受けロール５２と、を備えるボンディングロール５０の間（凸ロール５１と受けロール５２の間）に挟み込んで押圧することによって形成することができる。なお、受けロールとしては、外周面が平面のロール（ラバーロール）であってもよいし、その外周面に凸ロールの凸部と相補的な凹部を有するロールであってもよい。
【００３５】
［１−２］第一のロール形成工程：
次に、中間体シートを、その長手方向に巻き取って中間体ロールを得る第一のロール形成工程を行う。
【００３６】
中間体シートを巻き取る方法は、従来公知の方法を採用することができる。例えば、図４に示すように、中間体シート４１を、ワインダーなどにより長尺芯管５４に巻き取る方法を挙げることができる。中間体シートの巻取り長さは、所望の衛生用紙の種類によって異なるが、例えば、ロール状のトイレットペーパーの場合、２５〜９０ｍとすることができ、ロール状のキッチンタオルの場合、１０〜２０ｍとすることができる。
【００３７】
なお、巻き取り後、例えば、図４に示すように、中間体シート４１の終端部４１ｅに、中間体シート４１の短手方向に沿って接着剤５５を塗工して、中間体シート４１の終端部４１ｅを、既に巻き取られてロール状になったシート５６の外表面に接着固定する。このようにして、中間体ロールを得ることができる。接着剤としては、水溶性接着剤が好ましく、酢酸ビニル系接着剤が更に好ましい。また、接着剤は、既に巻き取られてロール状になったシートの外表面に塗工してもよい。
【００３８】
［１−３］第一の切断工程：
次に、中間体ロールを、隣接するプライボンディング部の間で切断して、ロール状の衛生用紙を複数得る第一の切断工程を行う。図５は、中間体ロールを切断して得られた複数のロール状の衛生用紙６１を示す例であり、これらの衛生用紙６１は、図４に示す隣接するプライボンディング部１０、１０の間、即ち、切断線Ｓ１に沿って中間体ロールを切断して得られる。
【００３９】
中間体ロールを切断する方法としては、従来公知の方法を採用することができ、例えば、切断刃などを用いることができる。この切断刃としては、例えば、ログソー（丸刃）、バンドソー（平刃）等を用いることができる。切断刃の厚さとしては、２〜１０ｍｍのものが好適に用いられる。製品幅は、ロール状の衛生用紙の種類によって異なるが、例えば、ロール状のトイレットペーパーの場合、１０５〜１１４ｍｍとすることができ、ロール状のキッチンタオルの場合、２１０〜２２８ｍｍとすることができる。
【００４０】
図６は、第一の衛生用紙の製造方法の別の実施形態を示す、図１に対応する平面図である。具体的には、複数の原紙を積層させる前に、この原紙の片面または両面に凹凸を形成するエンボス加工を行い、エンボス加工された原紙を用いる例を示している。即ち、原紙ロール１３から送り出された原紙１２を、エンボスロール５８によって処理し、その片面または両面に凹凸が形成された原紙６３を得、得られた原紙６３を積層させて、長尺幅広プライ１１を形成することができる。このようにして形成された長尺幅広プライ（即ち、衛生用紙）は、肌触りが良好になるという利点がある。
【００４１】
エンボスロールとしては、従来公知のものを用いることができる。例えば、その外周面に凸部が形成された凸エンボスロールと、上記凸部に相補的な凹部が形成された凹エンボスロールと、を備えるものなどを挙げることができる。
【００４２】
［２］衛生用紙の製造方法：
第二の衛生用紙の製造方法の一の実施形態は、複数枚の原紙が積層された長尺幅広プライに、複数枚の原紙を相互に接着するプライボンディング部を、長尺幅広プライの短手方向に複数形成して中間体シートを得る第二のシート形成工程と、中間体シートを、その長手方向に巻き取って中間体ロールを得る第二のロール形成工程と、中間体ロールを、隣接するプライボンディング部の間で切断して、ロール状の衛生用紙を複数得る第二の切断工程と、を備える製造方法である。そして、プライボンディング部は、長尺幅広プライの長手方向に沿って形成された複数の第三の接着領域を有する第三のボンディング部と、長尺幅広プライの長手方向に沿って形成された複数の第四の接着領域を有し、第三のボンディング部から長尺幅広プライの短手方向に所定の間隔で離間させた第四のボンディング部と、を含み、第三のボンディング部と第四のボンディング部を、第三の接着領域と第四の接着領域とが千鳥状をなすように配置するものである。
【００４３】
このような衛生用紙の製造方法は、プライを構成する原紙が、ダブついたままでプライボンディングされ難いため、製造中に原紙の折れや破損等の不具合が生じることを防止することができる。
【００４４】
［２−１］第二のシート形成工程：
第二の衛生用紙の製造方法は、まず、複数枚の原紙が積層された長尺幅広プライに、複数枚の原紙を相互に接着するプライボンディング部を、長尺幅広プライの短手方向に複数形成して中間体シートを得る第二のシート形成工程を行う。
【００４５】
本工程に用いる長尺幅広プライは、上述した第一の衛生用紙の製造方法で用いた長尺幅広プライと同様のものを用いて同様にして形成することができる。
【００４６】
プライボンディング部は、長尺幅広プライの長手方向に沿って形成された複数の第三の接着領域を有する第三のボンディング部と、長尺幅広プライの長手方向に沿って形成された複数の第四の接着領域を有し、第三のボンディング部から長尺幅広プライの短手方向に所定の間隔で離間させた第四のボンディング部と、を含んでいる。そして、プライボンディング部は、第三のボンディング部と第四のボンディング部を、第三の接着領域と第四の接着領域とが千鳥状をなすように配置しているものである。このようなプライボンディング部を形成すると、原紙間に存在する空気は、第三のボンディング部または第四のボンディング部のいずれかの非接着領域（隣接する第三の接着領域の間の領域または隣接する第四の接着領域の間の領域）から排出されるため、原紙間に空気が残ることを良好に防止することができる。
【００４７】
図７は、図３に対応する平面図であり、中間体シート４１の短手方向の一方の端部４１ａの一部を示している。図７に示すように、プライボンディング部１０は、長尺幅広プライ１１の長手方向（図７のＸで示す方向）に沿って形成された複数の第三の接着領域３３を有する第三のボンディング部２３と、長尺幅広プライ１１の長手方向に沿って形成された複数の第四の接着領域３４を有し、第三のボンディング部２３から長尺幅広プライ１１の短手方向に所定の間隔で離間させた第四のボンディング部２４とを含んでいる。そして、プライボンディング部１０は、第三のボンディング部２３と第四のボンディング部２４を、第三の接着領域３３と第四の接着領域３４とが千鳥状をなすように配置している。なお、第三のボンディング部と第四のボンディング部の間隔は、第一のボンディング部と第二のボンディング部の間隔と同様に、衛生用紙の幅Ｗ１とほぼ同じであり、幅Ｗ１より若干狭く設定されることが好ましい。
【００４８】
第三の接着領域及び第四の接着領域は、長尺幅広プライの長手方向の長さが、具体的には、２〜１０ｍｍであることが好ましく、３〜８ｍｍであることが更に好ましい。上記長さが２ｍｍ未満であると、原紙が十分に接着されなくなるおそれがある。一方、１０ｍｍ超であると、原紙間に存在する空気が抜け難くなるおそれがある。
【００４９】
第三の接着領域及び第四の接着領域の形状は、第一の接着領域及び第二の接着領域の形状と同様の形状とすることができる。具体的には、円形、楕円形、菱形、波形などとすることができる。
【００５０】
隣接する第三の接着領域の間隔は、具体的には、３〜１５ｍｍであることが好ましく、４〜１４ｍｍであることが更に好ましい。上記間隔が３ｍｍ未満であると、原紙間に存在する空気が抜け難くなるおそれがある。一方、１５ｍｍ超であると、原紙が十分に接着されなくなるおそれがある。なお、隣接する第四の接着領域の間隔は、上述した隣接する第三の接着領域の間隔と同一間隔とすることができる。
【００５１】
本工程においては、第四の接着領域を、隣接する第三の接着領域の間の非接着領域に対応する位置に配置することが好ましく、上記非接着領域の長尺幅広プライの長手方向の長さが、上記第四の接着領域の長尺幅広プライの長手方向の長さに比して長いことが更に好ましい。このような構成であると、原紙間に存在する空気が効果的に抜けるという利点がある。ここで、本明細書において「非接着領域に対応する位置」とは、非接着領域を長尺幅広プライの短手方向に平行に移動させたときに、移動させた非接着領域が占める位置ということを意味する。
【００５２】
図７は、第四の接着領域３４を、隣接する第三の接着領域３３の間の非接着領域４３に対応する位置に配置し、上記非接着領域４３の長尺幅広プライ１１の長手方向の長さＮ１が、上記第四の接着領域３４の長尺幅広プライ１１の長手方向の長さＭに比して長い（長さＮ１は、長さＭに比して長さＮ２の２倍分だけ長い）例を示している。
【００５３】
［２−２］第二のロール形成工程：
次に、中間体シートを、その長手方向に巻き取って中間体ロールを得る第二のロール形成工程を行う。本工程は、上述した第一のロール形成工程と同様の方法を採用することができる。
【００５４】
［２−３］第二の切断工程：
次に、中間体ロールを、隣接する前記プライボンディング部の間で切断して、ロール状の衛生用紙を複数得る第二の切断工程を行う。本工程は、上述した第一の切断工程と同様の方法を採用することができる。
【００５５】
［３］衛生用紙の製造方法：
第三の衛生用紙の製造方法の一の実施形態は、複数枚の原紙が積層された長尺幅広プライに、複数枚の原紙を相互に接着するプライボンディング部を、長尺幅広プライの短手方向に複数形成して中間体シートを得る第三のシート形成工程と、中間体シートを、隣接するプライボンディング部の間で切断して複数の長尺衛生用紙を得る第三の切断工程と、長尺衛生用紙を、その短手方向の所定の間隔で切断して複数枚の衛生用紙を得る第四の切断工程と、を備える製造方法である。そして、プライボンディング部は、長尺幅広プライの長手方向に沿って千鳥状に配置される複数の第五の接着領域を有する第五のボンディング部と、長尺幅広プライの長手方向に沿って千鳥状に配置される複数の第六の接着領域を有し、第五のボンディング部から長尺幅広プライの短手方向に所定の間隔で離間させた第六のボンディング部と、を含むものである。
【００５６】
このような衛生用紙の製造方法は、プライを構成する原紙が、ダブついたままでプライボンディングされ難いため、製造中に原紙の折れや破損等の不具合が生じることを防止することができる。
【００５７】
本製造方法及び後述する第四の衛生用紙の製造方法によると、シート状の衛生用紙を得ることができる。具体的には、シート状の衛生用紙を複数枚積層させて得られる、ティシュペーパー、キッチンタオルなどを得ることができる。
【００５８】
［３−１］第三のシート形成工程：
第三の衛生用紙の製造方法は、まず、複数枚の原紙が積層された長尺幅広プライに、複数枚の原紙を相互に接着するプライボンディング部を、長尺幅広プライの短手方向に複数形成して中間体シートを得る第三のシート形成工程を行う。
【００５９】
本工程は、上述した第一のシート形成工程と同様の工程を好適に採用することができる。即ち、本工程に用いる長尺幅広プライは、上述した第一のシート形成工程で用いた長尺幅広プライと同様のものを用いて同様にして形成することができる。また、本工程で形成するプライボンディング部は、上述した第一のシート形成工程で形成したプライボンディング部と同様のものとすることができ、第一の衛生用紙の製造方法と同様に、隣接するプライボンディング部における、隣接する第五のボンディング部と第六のボンディング部を、第五の接着領域と第六の接着領域とが千鳥状をなすように配置することが好ましい。このような構成であると、第一の衛生用紙の製造方法と同様に、加工安定性が向上し、また、原紙間に存在する空気が更に効果的に抜けるという利点がある。なお、例えば、シート状のティシュペーパーを製造する場合には、長尺幅広プライを構成する原紙は、坪量１０〜１８ｇ／ｍ２に抄紙されたものを用いることが好ましい。
【００６０】
第五のボンディング部と第六のボンディング部の間隔は、図８に示すように、衛生用紙６２の幅Ｗ２とほぼ同じであり、幅Ｗ２より若干狭く設定されることが好ましい。このようにすると、衛生用紙の両端部に第五のボンディング部と第六のボンディング部が形成されるため、積層された原紙が良好に接着された衛生用紙を得ることができる。なお、衛生用紙６２は、長手方向の両端部に第五のボンディング部２５と第六のボンディング部２６を形成しているが、幅Ｗ２は適宜設定することができるため、短手方向の両端部に第五のボンディング部２５と第六のボンディング部２６を形成するものであってもよい。
【００６１】
［３−２］第三の切断工程：
次に、中間体シートを、隣接するプライボンディング部の間で切断して複数の長尺衛生用紙を得る第三の切断工程を行う。
【００６２】
中間体シートを切断する方法としては、従来公知の方法を採用することができ、例えば、ログソー（丸刃）、バンドソー（平刃）等の切断刃を用いることができる。
【００６３】
図８は、中間体シート４１を、隣接するプライボンディング部１０、１０の間で、切断刃６５によって切断して（図８の「Ｓ２」は切断線を示す）複数の長尺衛生用紙６６を得る例を示している。なお、図８に示す中間体シート４１には、図３に示すプライボンディング部１０と同様のものを形成している。即ち、図８に示す中間体シート４１に形成されているプライボンディング部１０は、長尺幅広プライ１１の長手方向（図８のＸで示す方向）に沿って千鳥状に配置される直線状の複数の第五の接着領域３５を有する第五のボンディング部２５と、長尺幅広プライ１１の長手方向に沿って千鳥状に配置される直線状の複数の第六の接着領域３６を有する第六のボンディング部２６を含んでいる。
【００６４】
［３−３］第四の切断工程：
次に、長尺衛生用紙を、その短手方向の所定の間隔で切断して複数枚の衛生用紙を得る第四の切断工程を行う。
【００６５】
長尺衛生用紙を切断する方法としては、上述した切断刃などを用いることができる。本工程は、図８に示すように、例えば、切断刃６５を用いて長尺衛生用紙６６を切断線Ｓ３に沿って切断することによって、複数枚のシート状の衛生用紙６２を得ることができる。
【００６６】
なお、上記衛生用紙の積層体（例えば、ティシュペーパーの束）を製造する場合、上記複数枚の衛生用紙をそれぞれ積層させてもよいが、例えば、以下のように製造することもできる。まず、折板式加工機などによって、長尺衛生用紙を折り重ねて長尺衛生用紙の束を得る。次に、得られた上記束の所定の部分（図８に示す切断線Ｓ３に相当する部分）を裁断して衛生用紙の積層体を得ることができる。このようにして得られた積層体を、衛生用紙収納用のカートンに収納してカートン入りのティシュペーパーを得ることができる。
【００６７】
［４］衛生用紙の製造方法：
第四の衛生用紙の製造方法の一の実施形態は、複数枚の原紙が積層された長尺幅広プライに、複数枚の原紙を相互に接着するプライボンディング部を、長尺幅広プライの短手方向に複数形成して中間体シートを得る第四のシート形成工程と、中間体シートを、隣接するプライボンディング部の間で切断して複数の長尺衛生用紙を得る第五の切断工程と、長尺衛生用紙を、その短手方向の所定の間隔で切断して複数枚の衛生用紙を得る第六の切断工程と、を備える製造方法である。そして、プライボンディング部は、長尺幅広プライの長手方向に沿って形成された複数の第七の接着領域を有する第七のボンディング部と、長尺幅広プライの長手方向に沿って形成された複数の第八の接着領域を有し、第七のボンディング部から長尺幅広プライの短手方向に所定の間隔で離間させた第八のボンディング部と、を含み、第七のボンディング部と第八のボンディング部を、第七の接着領域と第八の接着領域とが千鳥状をなすように配置するものである。
【００６８】
このような衛生用紙の製造方法は、プライを構成する原紙が、ダブついたままでプライボンディングされ難いため、製造中に原紙の折れや破損等の不具合が生じることを防止することができる。
【００６９】
［４−１］第四のシート形成工程：
第四の衛生用紙の製造方法は、まず、複数枚の原紙が積層された長尺幅広プライに、複数枚の原紙を相互に接着するプライボンディング部を、長尺幅広プライの短手方向に複数形成して中間体シートを得る第四のシート形成工程を行う。
【００７０】
本工程は、上述した第二のシート形成工程と同様の工程を好適に採用することができる。即ち、本工程に用いる長尺幅広プライは、上述した第一のシート形成工程で用いた長尺幅広プライと同様のものを用いて同様にして形成することができる。また、本工程で形成するプライボンディング部は、上述した第二のシート形成工程で形成したプライボンディング部と同様のものとすることができ、第二の衛生用紙の製造方法と同様に、第八の接着領域を、隣接する第七の接着領域の間の非接着領域に対応する位置に配置することが好ましい。なお、例えば、シート状のティシュペーパーを製造する場合には、長尺幅広プライを構成する原紙は、上記第三のシート形成工程と同様に、坪量１０〜１８ｇ／ｍ２に抄紙されたものを用いることが好ましい。
【００７１】
［４−２］第五の切断工程：
次に、中間体シートを、隣接するプライボンディング部の間で切断して複数の長尺衛生用紙を得る第五の切断工程を行う。本工程は、上述した第三の切断工程と同様の工程を好適に採用することができる。
【００７２】
［４−３］第六の切断工程：
次に、長尺衛生用紙を、その短手方向の所定の間隔で切断して複数枚の衛生用紙を得る第六の切断工程を行う。本工程は、上述した第四の切断工程と同様の工程を好適に採用することができる。
【産業上の利用可能性】
【００７３】
本発明の衛生用紙の製造方法（第一の衛生用紙の製造方法から第四の衛生用紙の製造方法）は、ティシュペーパー、トイレットペーパー、キッチンタオル等の衛生用紙を製造する方法として好適に用いることができる。
【符号の説明】
【００７４】
１０：プライボンディング部、１１：長尺幅広プライ、１２，６３：原紙、１３：原紙ロール、２１，２１ａ：第一のボンディング部、２２，２２ｂ：第二のボンディング部、２３：第三のボンディング部、２４：第四のボンディング部、２５：第五のボンディング部、２６：第六のボンディング部、３１：第一の接着領域、３２：第二の接着領域、３３：第三の接着領域、３４：第四の接着領域、３５：第五の接着領域、３６：第六の接着領域、４１：中間体シート、４１ａ：端部、４１ｅ：終端部、４３：非接着領域、５０：ボンディングロール、５１：凸ロール、５２：受けロール、５４：長尺芯管、５５：接着剤、５６：ロール状になったシート、５８：エンボスロール、６１：ロール状の衛生用紙、６２：シート状の衛生用紙、６５：切断刃、６６：長尺衛生用紙、Ｌ１：間隔、Ｎ１，Ｎ２，Ｍ：長さ、Ｓ１，Ｓ２，Ｓ３：切断線、Ｗ１，Ｗ２：幅。
【図１】
2010178839.tif 000003
【図２】
2010178839.tif 000004
【図３】
2010178839.tif 000005
【図４】
2010178839.tif 000006
【図５】
2010178839.tif 000007
【図６】
2010178839.tif 000008
【図７】
2010178839.tif 000009
【図８】
2010178839.tif 000010